(57)【要約】【課題】コイルを固化させる接着剤を多数個のハウジングに対して一括して塗布することを可能とする対物レンズホルダ、光ピックアップ装置および対物レンズ駆動装置の製造方法を提供する。【解決手段】本発明では、各ＯＢＬホルダ２１への接着剤の塗布を一括して行うために、ＯＢＬホルダ２１の上部および下部に当接部を設けている。具体的には、ＯＢＬホルダ２１の＋Ｄｆ側の端部で、主面部５６の各隅部に対応する箇所に、当接部２２Ａ、２２Ｂ、２２Ｃ、２２Ｄが４つ設けられている。更に、ＯＢＬホルダ２１の−Ｄｆ側の端部で、上記した当接部２２Ａ、２２Ｂ、２２Ｃ、２２Ｄと重畳する領域に、当接部２３Ａ、２３Ｂ、２３Ｃ、２３Ｄが設けられている。【選択図】図３
2013127831.tif 000002
【特許請求の範囲】
【請求項１】
光ピックアップ装置の対物レンズ駆動装置に移動可能に支持され、対物レンズを保持する対物レンズホルダであって、
前記対物レンズが固定される主面部と、トラッキングコイルを巻回するボビンが設けられた側壁部と、を備え、
前記側壁部の上部に第１当接部を設けると共に、前記第１当接部と平面視で重畳する箇所で、前記側壁部の下部に前記第１当接部と当接可能な形状の第２当接部を設けることを特徴とする対物レンズホルダ。
【請求項２】
複数個設けられる前記第１当接部の上端部は同一平面上に配置され、
複数個設けられる前記第２当接部の下端部は同一平面上に配置される、ことを特徴とする請求項１に記載の対物レンズホルダ。
【請求項３】
前記第１当接部の上端部および前記第２当接部の下端部は平坦面であることを特徴とする請求項１または請求項２に記載の対物レンズホルダ。
【請求項４】
前記第１当接部を前記主面部の角部付近に４個設けることを特徴とする請求項１から請求項３の何れかに記載の対物レンズホルダ。
【請求項５】
請求項１から請求項４の何れかに記載された対物レンズホルダと、
前記対物レンズホルダに装着された第１トラッキングコイル、第２トラッキングコイル、第３トラッキングコイルおよび第４トラッキングコイルに流される駆動電流に対してトラッキング方向へ変位させる駆動力を発生させる磁界を発生する磁気回路と、を備えることを特徴とする対物レンズ駆動装置。
【請求項６】
請求項５に記載の対物レンズ駆動装置をハウジングに搭載したことを特徴とする光ピックアップ装置。
【請求項７】
請求項１から請求項４の何れかに記載された対物レンズホルダを用意する工程と、
前記ボビンにトラッキングコイルを巻回する工程と、
前記対物レンズホルダの内部にフォーカスコイルを収納する工程と、
前記フォーカスコイル及び前記トラッキングコイルに接着剤を塗布する工程と、を備え、
前記接着剤を塗布する工程では、複数の前記対物レンズホルダを厚み方向に積層させ、下方に配置された前記対物レンズホルダの前記第１当接部と、上方に配置された前記対物レンズホルダの前記第２当接部とを当接させた状態で、複数の前記対物レンズホルダの前記コイルに対して接着剤を供給することを特徴とする対物レンズ駆動装置の製造方法。
【請求項８】
前記対物レンズホルダの両端には、フォーカスコイルが収納されると共に上部および下部が開口状態とされた収納領域が設けられ、
複数の前記対物レンズホルダの両端に設けられた前記収納領域および前記フォーカスコイルを、治具で貫通することにより、複数の前記対物レンズホルダを固定することを特徴とする請求項７に記載の対物レンズ駆動装置の製造方法。
【請求項９】
前記各ボビンは、筒状部と、前記筒状部を厚み方向に貫通した連通孔とを有し、
前記連通孔を経由して前記フォーカスコイルに前記接着剤を供給することを特徴とする請求項７または請求項８に記載の対物レンズ駆動装置の製造方法。
【発明の詳細な説明】
【技術分野】
【０００１】
本発明は、対物レンズが取り付けられる対物レンズホルダ、対物レンズホルダがアクチュエータフレームに変位可能に支持される対物レンズ駆動装置、および光ピックアップ装置、並びに対物レンズ駆動装置の製造方法に関する。特に、本発明は、トラッキングコイルやフォーカスコイルが接着剤で固着される対物レンズホルダ等に関する。
【背景技術】
【０００２】
光ディスクに対して光学的に信号の読み取り、あるいは書き込みを行う光学ヘッドにおける対物レンズ駆動装置においては、対物レンズ（Ｏｂｊｅｃｔｉｖｅ  ｌｅｎｓ）が取り付けられた対物レンズホルダ（以下、ＯＢＬホルダと称する）をアクチュエータフレームに対して変位可能に支持されている。また、フォーカスコイル及びトラッキングコイル、あるいは必要に応じてチルトコイルをＯＢＬホルダに装着すると共に、これらの駆動コイルの有効領域を磁気回路により形成される所定の磁界内に配置することにより各駆動コイルに供給する信号に応じて対物レンズを駆動する構成となっている。
【０００３】
従来から存在する対物レンズ駆動装置の構造は、例えば下記特許文献１に記載されている。この文献の図４およびその説明箇所を参照すると、レンズホルダ３３の外部側壁に各種コイルが配置されている。具体的には、トラッキングコイル４１ａ、４１ｂ、フォーカスコイル４２ａ、４２ｂ、ラジアルチルトコイル４３ａ、４３ｂが、レンズホルダ３３の外部側壁の側壁に取り付けられており、これらの各コイルに所定の制御信号が入力される事によって、フォーカス制御、トラッキング制御およびチルト制御が行われる。
【０００４】
また、当該文献の図５および図６を参照すると、レンズホルダ３３の側壁には、フォーカス／ラジアルチルトボビン９１ａ、９１ｂおよびトラッキングボビン９２ａ、９２ｂが設けられている。そして、これらのボビンにエナメル線等の導線を巻回することで、上記した各コイルが形成されている。
【先行技術文献】
【特許文献】
【０００５】
【特許文献１】特開２００８−２２６２９２号公報
【発明の概要】
【発明が解決しようとする課題】
【０００６】
しかしながら、上記した特許文献１の図４およびその説明箇所からも明らかなように、各トラッキングボビン９１ａ等に、トラッキングコイル４１ａ等を捲回しているが、このトラッキングコイル４１ａ等を接着剤等で固着する方法が開示されてない。
【０００７】
また、多数の光ピックアップ装置を製造する場合を考慮すると、シリンジ等の供給手段を用いて個々のハウジングに接着剤を供給する工程は非常に煩雑であり、このことが光ピックアップ装置の製造コストを押し上げる恐れもあった。
【０００８】
本発明は、上記問題点を鑑みてなされたものであり、本発明の目的は、コイルを固化させる接着剤を多数個のハウジングに対して効率的に塗布することを可能とする対物レンズホルダ、光ピックアップ装置および対物レンズ駆動装置の製造方法を提供することにある。
【課題を解決するための手段】
【０００９】
本発明の対物レンズホルダは、光ピックアップ装置の対物レンズ駆動装置に移動可能に支持され、対物レンズを保持する対物レンズホルダであって、前記対物レンズが固定される主面部と、トラッキングコイルを巻回するボビンが設けられた側壁部と、を備え、前記側壁部の上部に第１当接部を設けると共に、前記第１当接部と平面視で重畳する箇所で、前記側壁部の下部に前記第１当接部と当接可能な形状の第２当接部を設けることを特徴とする。
【００１０】
本発明の対物レンズ駆動装置は、上記した対物レンズホルダと、前記対物レンズホルダに装着された第１トラッキングコイル、第２トラッキングコイル、第３トラッキングコイルおよび第４トラッキングコイルに流される駆動電流に対してトラッキング方向へ変位させる駆動力を発生させる磁界を発生する磁気回路と、を備えることを特徴とする。
【００１１】
本発明の光ピックアップ装置は、上記した対物レンズ駆動装置をハウジングに搭載したことを特徴とする。
【００１２】
本発明の対物レンズ駆動装置の製造方法は、上記した対物レンズホルダを用意する工程と、前記ボビンにトラッキングコイルを巻回する工程と、前記対物レンズホルダの内部にフォーカスコイルを収納する工程と、前記フォーカスコイル及び前記トラッキングコイルに接着剤を塗布する工程と、を備え、前記接着剤を塗布する工程では、複数の前記対物レンズホルダを厚み方向に積層させ、下方に配置された前記対物レンズホルダの前記第１当接部と、上方に配置された前記対物レンズホルダの前記第２当接部とを当接させた状態で、複数の前記対物レンズホルダの前記コイルに対して接着剤を供給することを特徴とする。
【発明の効果】
【００１３】
本発明では、対物レンズホルダの上部に第１当接部を設け、この第１当接部と重畳する箇所の下部に第２当接部を設けている。従って、対物レンズホルダに組み込まれた各コイルに接着剤を供給する工程にて、複数の対物レンズホルダを積層させ、下部の対物レンズホルダの第１当接部と、上部の第２当接部とを当接させることで、複数の対物レンズホルダの相対的な位置関係を整合させる事ができる。このことから、対物レンズホルダが積み上げられた状態で、各対物レンズホルダに組み込まれた各コイルに対して、効率的に接着剤を供給することが可能となる。
【図面の簡単な説明】
【００１４】
【図１】本発明の光ピックアップ装置を示す平面図である。
【図２】本発明の対物レンズ駆動装置を示す図であり、（Ａ）は対物レンズ駆動装置を全体的に示す平面図であり、（Ｂ）はアクチュエータ可動部を拡大して示す平面図である。
【図３】本発明の対物レンズホルダを示す図であり、（Ａ）は各種コイル等が組み込まれた状態の対物レンズホルダを上方から見た斜視図であり、（Ｂ）はこの状態の対物レンズホルダを下方から見た斜視図である。
【図４】本発明の対物レンズホルダを示す図であり、（Ａ）は各種コイル等が組み込まれた状態の対物レンズホルダを示す斜視図であり、（Ｂ）は（Ａ）の断面図であり、（Ｃ）は一部を拡大して示す断面図である。
【図５】本発明の対物レンズ駆動装置の製造方法を示す図であり、治具を用いて複数の対物レンズホルダを積層させた状態を示す斜視図である。
【図６】本発明の対物レンズ駆動装置の製造方法を示す図であり、（Ａ）は積層させる状態の対物レンズホルダを上方から見た斜視図であり、（Ｂ）は積層させる状態の対物レンズホルダを下方から見た斜視図である。
【発明を実施するための形態】
【００１５】
＜第１の実施の形態：光ピックアップ装置＞
図１は本実施形態の光ピックアップ装置１００の概略を示す平面図である。
【００１６】
光ピックアップ装置１００は、一例としてＣＤ（Ｃｏｍｐａｃｔ  Ｄｉｓｃ）規格、ＤＶＤ（Ｄｉｇｉｔａｌ  Ｖｅｒｓａｔｉｌｅ  Ｄｉｓｃ）規格、およびＢＤ（Ｂｌｕ−ｒａｙ  Ｄｉｓｃ）規格の各光ディスクに対応する構成となっており、対物レンズ駆動装置５０および各種光学部品がハウジング５１に設置されて構成されている。光ピックアップ装置の概略的機能は、光ディスクの情報記録層に対して所定の規格のレーザー光を照射し、この情報記録層で反射したレーザー光を受光することで、光ディスクからの情報の読出しまたは書き込みを行うことにある。
【００１７】
対物レンズ駆動装置５０（アクチュエータ）は、対物レンズ（Ｏｂｊｅｃｔｉｖｅ  ｌｅｎｓ）ホルダ（以下、ＯＢＬホルダ）２１を移動可能に保持する。ＯＢＬホルダ２１は、上記した各規格の何れかまたは全てに対応する対物レンズ３１が装着される。
【００１８】
レーザーユニット１はレーザーダイオードを備え、このレーザーダイオードから上記した規格のレーザー光が放射される。具体的には、ＢＤに適した青紫色（青色）波長帯３９５ｎｍ〜４２０ｎｍ（例えば４０５ｎｍの波長）のレーザ光、ＤＶＤに適した赤色波長帯６４５ｎｍ〜６７５ｎｍ（例えば６５０ｎｍの波長）のレーザ光、またはＣＤに適した赤外波長帯７６５ｎｍ〜８０５ｎｍ（例えば７８０ｎｍの波長）のレーザ光が、レーザーダイオードから放射される。
【００１９】
レーザーユニット１から放射されたレーザー光は、回折格子６で０次光、＋１次光、−１次光に分離されてハーフミラー１３で反射された後に、１／４波長板９およびコリメートレンズ１２を通過し、不図示の立ち上げミラーで反射されて対物レンズ３１で光ディスクの情報記録層に合焦される。また、レーザーユニット１から放射されたレーザー光の一部はハーフミラー１３を透過してＦＭＤ２０で検出され、この検出に基づいてレーザーユニット１の出力が調整される。そして、光ディスクの情報記録層で反射した戻り光のレーザー光は、立ち上げミラー、コリメートレンズ１２、１／４波長板９、ハーフミラー１３を透過し、その後、第１プレート１６および第２プレート１９で不要な非点収差が打ち消され、所望の非点収差が付与された後に、光検出器１７（ＰＤＩＣ）で検出される。光検出器１７で検出された信号に基づいて、ＯＢＬホルダ２１のコイルに制御信号が供給され、フォーカスコイル、トラッキングコイル、またはチルトコイルに制御電流が供給される。この結果、フォーカス制御、トラッキング制御及びラジアルチルト制御が行われる。ここで、後述する対物レンズ駆動装置５０の場合、フォーカスコイルがチルトコイルの機能を兼ねており、チルトコイルが省かれている。
【００２０】
ここで、図１に示すＤｔ方向とはタンジェンシャル方向であり、Ｄｒ方向とはトラッキング方向（光ディスクのラジアル方向）であり、Ｄｆ方向とはフォーカス方向である。これらの各方向は互いに直交している。
【００２１】
＜第２の実施の形態：対物レンズ駆動装置＞
図２を参照して、上記した光ピックアップ装置に組み込まれる対物レンズ駆動装置５０を説明する。図２（Ａ）は対物レンズ駆動装置５０を示す平面図であり、図２（Ｂ）はアクチュエータ可動部４０を拡大して示す平面図である。
【００２２】
図２（Ａ）を参照して、対物レンズ駆動装置５０（アクチュエータ）は、アクチュエータ可動部４０とアクチュエータフレーム４１とから成る。また、アクチュエータ可動部４０はＯＢＬホルダ２１と、支持ワイヤ４５から構成される。アクチュエータフレーム４１は、珪素鋼板等の磁性金属材料から形成され、部分的に直角に曲折加工されることで、後述するヨークが形成される。
【００２３】
アクチュエータ可動部４０は、支持ワイヤ４５によりアクチュエータフレーム４１に対してフォーカス方向（Ｄｆ方向）、トラッキング方向（Ｄｒ方向）及びラジアルチルト方向（Ｄｒｔ方向）に変位可能に弾性的に支持される。支持ワイヤ４５は、一端がＯＢＬホルダ２１の側壁に固定され、他端がアクチュエータフレーム４１に固定された固定基板４４に固定される。前記固定基板４４は支持ワイヤ４５を制振させるダンパー材が充填される補助部材４３に接着され、該補助部材４３と共にアクチュエータフレーム４１にねじ止め固定される。支持ワイヤ４５は、アクチュエータフレーム４１の１つの側面に対して例えば３本ずつ架設され、アクチュエータ可動部４０を空中状態で機械的に支持すると共に、アクチュエータ可動部４０に備えられる各コイルに供給される電流が流れる接続手段としても機能している。
【００２４】
図２（Ｂ）を参照して、アクチュエータ可動部４０は、ＯＢＬホルダ２１と、ＯＢＬホルダ２１の上面に固定された対物レンズ３１と、ＯＢＬホルダ２１の側壁部の外側の面に巻回されたトラッキングコイル３６−３９と、ＯＢＬホルダ２１に内蔵されたフォーカスコイル２９、３０とを主要に備える。
【００２５】
ＯＢＬホルダ２１の側壁部外側に配置された各トラッキングコイル３６−３９に面するアクチュエータフレーム４１の各ヨークに、マグネット３２−３５が配置されている。各マグネット３２−３５の、各トラッキングコイル３６−３９に対向する面は同一の極性（例えばＮ極）である。また、各マグネット３２−３５は、トラッキングコイル３６−３９の有効領域に対して有効磁束を発生させる。この様な構成でトラッキングコイル３６−３９に電流を供給すると、トラッキングコイル３６−３９に電流が流れることで発生する磁界と、マグネット３２−３５で生成される磁界で形成される磁気回路との協働により、ＯＢＬホルダ２１はＤｔ方向に変位する。
【００２６】
対物レンズ３１を挟む箇所のＯＢＬホルダ２１の内部には、Ｄｆ方向に巻回軸を有する２つのフォーカスコイル２９、３０が配置されており、マグネット３２−３５は、フォーカスコイル２９、３０の有効領域に対しても有効磁束を発生させている。従って、フォーカスコイル２９、３０に対して電流を供給すると、フォーカスコイル２９、３０に電流が流れることで発生する磁界と、マグネット３２−３５で生成される磁界で形成される磁気回路との協働により、ＯＢＬホルダ２１はＤｆ方向に変位する。尚、本形態では、フォーカスコイル２９、３０に、チルト方向に対する制御を行うための制御信号を付与することで、ＯＢＬホルダ２１をチルト方向（Ｄｒｔ方向）に制御している。
【００２７】
バックヨーク４６は、アクチュエータフレーム４１の端部を直角に曲折加工させた部位でありマグネット３２、３３が、内側の側面に固着されている。更に、バックヨークのＤｒ方向の両端部を更に直角に曲折させてサブヨーク４７が形成されている。このような形状のバックヨーク４６およびサブヨーク４７を設けることにより、各トラッキングコイル３６、３７に有効に作用する有効磁束を強めることができ、ＯＢＬホルダ２１のＤｔ方向の感度を向上させるのに有効である。
【００２８】
対向ヨーク４８、４９は、バックヨーク４６等と同様に、アクチュエータフレームを直角に曲折させた部位であり、夫々がフォーカスコイル２９、３０に挿入する位置に設けられている。対向ヨーク４８、４９をこのように配置することで、フォーカスコイル２９、３０及び各トラッキングコイル３６−３９に有効に作用する有効磁束を強めることができ、ＯＢＬホルダ２１のＤｆ方向、Ｄｒ方向及びＤｒｔ方向の感度を向上させるのに有効である。
【００２９】
＜第３の実施の形態：対物レンズホルダ＞
図３を参照して、ＯＢＬホルダ２１にフォーカスコイル２９、３０およびトラッキングコイル３６−３９が備えられる構成を説明する。図３（Ａ）は各コイルが備えられた状態のＯＢＬホルダ２１を示す斜視図であり、図３（Ｂ）は図３（Ａ）の状態を反転させた状態を示す斜視図である。
【００３０】
ＯＢＬホルダ２１の概略的形状は、下方に開口部が設けられた筐体形状である。具体的には、ＯＢＬホルダ２１は、対物レンズ３１が装着される円形の開口部が設けられた主面部５６と、主面部５６の周辺部から下方に一体的に連続する４つの側壁部とを備えている。この側壁部としては、紙面上の奥側で長手方向の第１側壁部５２、紙面上の手前側で第１側壁部５２に対向する第２側壁部５３、紙面上で右側に設けられた短手方向の第３側壁部５４、および紙面上で左側端部に設けられた第４側壁部５５が含まれている。第１側壁部５２および第２側壁部５３の主面はＤｒ方向に対して平行であり、第３側壁部５４および第４側壁部５５の主面はＤｔ方向に対して平行である。
【００３１】
第１側壁部５２の外側の主面には、ボビン５７、５８が設けられており、これらのボビンには夫々トラッキングコイル３６、３７が巻回されている。また、第２側壁部５３の外側の主面には、ボビン５９、６０が設けられており、これらのボビンには夫々トラッキングコイル３８、３９が巻回されている。各ボビン５７−６０は、Ｄｒ方向において対物レンズ３１よりも外側の領域に配置されている。この理由は、ＯＢＬホルダ２１を、小型の光ピックアップに収納させると、対物レンズ３１の直下に立ち上げミラーが配置されると共に、前記立ち上げミラーへの光路を確保する空間をＯＢＬホルダ２１の第１側壁部５２及びあるいは第２側壁部５３の中央から下方の領域に設ける必要があり、この領域にコイル等の部品を収納させるためのマージンが無いからである。
【００３２】
各ボビンに巻回されるトラッキングコイル３６−３９は、１本の細長いエナメル線等の絶縁被膜が形成された導線から成り、その一端は、第３側壁部５４の一部を突出させた絡げ部６１に絡げられ、他端は第４側壁部５５に設けた絡げ部６１に絡げられる。ここで、各トラッキングコイル３６−３９は、Ｄｔ方向に巻回軸を有し、全体として角を丸めた四角形状を呈するように、ボビン５７−６０に巻回されている。また、トラッキングコイル３６−３９は、ＯＢＬホルダ２１自身を磁気作用によって駆動させるための駆動コイルであり、このような機能は後述するフォーカスコイル２９、３０も同様である。
【００３３】
絡げ部６１は、第３側壁部５４に３つ配置されており、２つはフォーカスコイル２９を構成するエナメル線等の絶縁被膜が形成された導線の両端が夫々絡げられ、１つにはトラッキングコイル３６−３９の端部が絡げられる。同様に、第４側壁部５５にも３つの絡げ部６１が設けられ、２つの絡げ部６１にはフォーカスコイル３０を構成する導線の両端部が絡げられ、１つの絡げ部６１にはトラッキングコイル３６−３９の他の端部が絡げられる。これらの絡げ部に絡げられた導線には、図２（Ａ）に示した支持ワイヤ４５が夫々接続される。
【００３４】
フォーカスコイル２９、３０は、Ｄｆ方向に巻回軸を有し、全体として角を丸めた四角形状を呈するように導線が巻回されて構成され、ＯＢＬホルダ２１の内部に収納されている。フォーカスコイル２９は第３側壁部５４側の端部に設けられた収納領域２２に配置さており、フォーカスコイル３０は第４側壁部５５側に設けられた収納領域２３に配置されている。即ち、フォーカスコイル２９は対物レンズ３１よりも＋Ｄｒ側に設けられており、フォーカスコイル３０は対物レンズ３１よりも−Ｄｒ側に設けられている。フォーカスコイル２９、３０を収納する収納領域２２、２３が、対物レンズ３１の外周端部よりも外側の端部に設けられる理由は、上記したボビン５７−６０を端部に配置する理由と同様である。ここで、平面視での収納領域２２、２３の大きさは、収納されるフォーカスコイル２９、３０の外形と同等か若干大きい程度に設定される。
【００３５】
更に、収納領域２２の上部は主面部により覆われること無く、開口する状態となっている。同様に、収納領域２３の上部も開口部となっている。これにより、フォーカスコイル２９の内部に図２（Ｂ）に示す対向ヨーク４９を配した状態で、ＯＢＬホルダ２１のＤｆ方向への移動が許容される。更に、後述するように、製造工程の接着剤を塗布する工程にて、複数のＯＢＬホルダ２１を厚み方向に積層させ、この開口部に治具を貫通することで、積層された複数のＯＢＬホルダ２１の位置を所定位置に固定することができる。
【００３６】
尚、後述するが、上記した各フォーカスコイル２９、３０およびトラッキングコイル３６−３９は、ボビン５７−６０から供給される接着剤を介して、ＯＢＬホルダ２１に固着される。
【００３７】
本形態では、後述する製造工程にて、各ＯＢＬホルダ２１への接着剤の塗布を一括して行うために、ＯＢＬホルダ２１の上部および下部に当接部を設けている。これにより、各ＯＢＬホルダ２１を積層させた際に、ＯＢＬホルダ２１同士を所定距離で離間させた状態で安定して積層させることが可能となる。
【００３８】
具体的には、図３（Ａ）を参照して、主面部５６の各隅部に対応する箇所に、当接部２２Ａ、２２Ｂ、２２Ｃ、２２Ｄが４つ設けられている。これらの当接部２２Ａ−２２Ｄは、Ｄｆ方向に長軸を有する直方体形状を有し、＋Ｄｆ側の端部は四角形形状の平坦面を呈している。また、これらの当接部２２Ａ−２２Ｄは、側壁部の＋Ｄｆ側の端部として設けられている。
【００３９】
当接部２２Ａ−２２Ｄの上端部はＤｆ方向での位置は、主面部５６と同レベルかそれより−Ｄｆ側で同一平面上に設定されている。これにより、当接部２２Ａ−２２Ｄの＋Ｄｆ側への突出が抑制される。
【００４０】
ここで、上記した当接部２２Ａ−２２Ｄの位置は必ずしも主面部５６の４隅の近傍に設けられる必要はなく、ＯＢＬ２１を積層して配置することが可能であれば他の箇所でも良い。
【００４１】
図３（Ｂ）を参照して、ＯＢＬホルダ２１の−Ｄｆ側の端部で、上記した当接部２２Ａ、２２Ｂ、２２Ｃ、２２Ｄと重畳する領域に、当接部２３Ａ、２３Ｂ、２３Ｃ、２３Ｄが設けられている。当接部２３Ａ−２３Ｄは、側壁部の一部としてその下端に設けられる。当接部２３Ａ−２３Ｄは、第１側壁部５２および第２側壁部５３を−Ｄｆ方向に突出させた部位であり、その下端は上記した当接部２２Ａ−２２Ｄと少なくとも部分的に重畳する四角形形状の平面を形成している。
【００４２】
また、当接部２３Ａ−２３Ｄの−Ｄｆ側の端部は、各側壁部の他の部分よりも−Ｄｆ側に突出するように配置してもよいし、同一平面上に配置しても良い。
【００４３】
図４を参照して、上記したＯＢＬホルダ２１に設けられるボビン５７−６０の構成を説明する。図４（Ａ）はＯＢＬホルダ２１を示す斜視図であり、図４（Ｂ）は図４（Ａ）のＢ−Ｂ’線における断面図であり、図４（Ｃ）は１つのボビン５９を拡大して示す断面図である。
【００４４】
図４（Ｂ）を参照して、ＯＢＬホルダ２１の第１側壁部５２から外側に突出する鍔状のボビン５８にトラッキングコイル３７が巻回されている。同様に、第２側壁部５３から外側に突出する鍔状のボビン５９にトラッキングコイル３８が巻回されている。また、第１側壁部５２および第２側壁部５３で、これらのボビン５８、５９が設けられた箇所の内側の主面には、フォーカスコイル２９が配置されている。この様な構成は、ＯＢＬホルダ２１の他端に設けられたボビン５７、６０、トラッキングコイル３６、３９、フォーカスコイル３０に関しても同様である。
【００４５】
また、上記した各トラッキングコイル３６−３９およびフォーカスコイル２９、３０は、エポキシ樹脂等の接着剤が含浸されている。このようにすることで、光ピックアップ装置の使用状況下にて各コイルに磁力が作用しても、この磁力により各コイルを構成する導線が変形することが防止される。更にまた、各トラッキングコイルおよびフォーカスコイルが、接着剤を介してＯＢＬホルダ２１に固着されることで、使用状況下に於ける各コイルの移動や分離が防止される。
【００４６】
図４（Ｃ）を参照して、ボビン５９の構成を説明する。ボビン５９は、第２側壁部５３から外側に突出する円筒状の筒状部６５と、この筒状部６５の外側の端部を円周方向に拡大させた鍔部６６とを有している。ボビン５９を構成する筒状部６５および鍔部６６の厚みは、ＯＢＬホルダ２１の厚みと同様である。また、筒状部６５は円形の断面を有する円筒状を呈しているが他の形状でも良く、例えば、紙面上縦方向に長い楕円形または角丸四角形等の形状でも良い。また、他のボビン５７、５８、６０も、上記したボビン５９と同様の構成を備える。
【００４７】
ここで、筒状部６５の内部には、ホルダ内部と外部とを連通させる連通孔６３が設けられており、筒状部６５の上部および下部を部分的に貫通して貫通孔６４が設けられている。後述するが、連通孔６３はフォーカスコイル２９に接着剤を供給する経路として用いられ、貫通孔６４はトラッキングコイル３８に接着剤を供給する経路として用いられる。
【００４８】
＜第４の実施の形態：対物レンズ駆動装置の製造方法＞
図５、図６および上記した各図を参照して、上記した構成の対物レンズ駆動装置の製造方法を説明する。
【００４９】
先ず、図３（Ａ）を参照して、上記した形状を備えたＯＢＬホルダ２１を用意する。ＯＢＬホルダ２１は、液晶ポリマー（Ｌｉｑｕｉｄ  Ｃｒｙｓｔａｌ  Ｐｏｌｙｍｅｒ）などの樹脂材料を、モールド金型のキャビティに注入することにより形成される。ＯＢＬホルダ２１は、上記したように４つの側壁部を有し、第１側壁部５２および第２側壁部５３に、トラッキングコイルを巻回するためのボビン５７−６０が側壁部と一体で設けられている。
【００５０】
次に、各ボビン５７−６０に導線を巻回することでトラッキングコイル３６−３９を形成する。トラッキングコイル３６−３９は、１本の導線から成り、ボビン５９、５８、５７、６０の順番で自動化された機械により巻回される。トラッキングコイル３６−３９と成る導線の一端は、第３側壁部５４に設けられた絡げ部６１に絡げられる。また、この導線の他端は、第４側壁部５５に設けられた絡げ部６１に絡げられる。
【００５１】
次に、図３（Ｂ）に示すように、ＯＢＬホルダ２１にフォーカスコイル２９、３０を収納する。フォーカスコイル２９は収納領域２２に収納され、フォーカスコイル３０は収納領域２３に収納される。
【００５２】
次に、図５および図６を参照して、フォーカスコイル３０をＯＢＬレンズホルダに固着するために接着剤を供給する。
【００５３】
図５を参照して、本工程では、複数個のＯＢＬホルダ２１Ａ等を厚み方向に積層させ、この状態で接着剤を各ＯＢＬホルダ２１Ａ等に供給している。ここでは、上方から５つのＯＢＬホルダ２１Ａ−２１Ｅが順番に積層されている。
【００５４】
ＯＢＬホルダ２１Ａ−２１Ｅが積層された状態において、ＯＢＬホルダ２１Ａ−２１Ｅの各上部に設けている当接部２２Ａ−２２Ｄと、ＯＢＬホルダ２１Ａ−２１Ｅの各下部に設けている当接部２３Ａ−２３Ｄとが互いに当接し、隣接するＯＢＬホルダ同士はそれら当接部２２Ａ−２２Ｄ及び当接部２３Ａ−２３Ｄ以外で接触せずに所定距離で離間された状態、すなわち対物レンズ３１やフォーカスコイル２９、３０及びトラッキングコイル３６−３９等の主要構成部品が隣接するＯＢＬホルダに接触されないで保護された状態で安定して積層されることになる。
【００５５】
更に本工程では、単にＯＢＬホルダ２１Ａ等を積層させるのではなく、治具２８を用いてこの積層を行なっている。治具２８は、ステンレス等の金属を所定形状に成形したものであり、全体を支持する支持部２５と、この支持部２５の上部に配置された棒状の貫通部２６、２７を備えている。貫通部２６、２７の断面形状は、図３（Ａ）に示すフォーカスコイル２９、３０の内壁形状と同一または若干小さい程度に設定されている。
【００５６】
図３（Ａ）を参照して上記したように、フォーカスコイル２９、３０が配置される部分のＯＢＬホルダ２１は、上部が主面部で被覆されない開口部と成っている。従って、ＯＢＬホルダ２１Ａ等の開口部の部分で、フォーカスコイル２９、３０の内側に貫通部２６、２７を挿通させることにより、ＯＢＬホルダ２１Ａ−２１Ｅは、貫通部２６、２７に挿通された状態で積層され、各ＯＢＬ２１Ａ−２１Ｅの、Ｄｒ方向、Ｄｔ方向およびＤｒ方向に於ける位置関係は所定の状態となる。
【００５７】
これにより、各ＯＢＬホルダの連通孔６３はＤｆ方向に沿って所定間隔で直線状に整列し、シリンジ等の接着剤を供給する手段を用いて、各連通孔６３に容易に連続して接着剤を供給する事ができる。
【００５８】
図６を参照して、上記した状態のＯＢＬホルダの状況を詳述する。ここでは、ＯＢＬ２１Ａ、２１Ｂ、２１Ｃのみを抜き出して示し、各ホルダの位置関係が分かるように、ホルダ同士を離間して示している。図６（Ａ）は互いに離間された状態のＯＢＬホルダを上方から見た斜視図であり、図６（Ｂ）はこの状態を下方から見た斜視図である。尚、ここでは対物レンズが装着される主面部を下部にしてＯＢＬホルダが積層されているが、上下逆の状態で積層が行われても良い。
【００５９】
図６（Ｂ）を参照して、最上部に配置されたＯＢＬホルダ２１Ａの下部には、上記した当接部２２Ａ、２２Ｂ、２２Ｃ、２２Ｄが配置されている。そして、ＯＢＬホルダ２１Ａの当接部２２Ａ−２２Ｄの位置は、図６（Ａ）を参照して、２段目に配置されたＯＢＬホルダ２１Ｂの当接部２３Ａ−２３Ｄと重畳している。従って、ＯＢＬホルダ２１ＡとＯＢＬホルダ２１Ｂとを重ね合わせると、ＯＢＬホルダ２１Ａの下部に設けた当接部２２Ａ−２２Ｄが、ＯＢＬホルダ２１Ｂの上部に設けた当接部２３Ａ−２３Ｄに当接し、これにより、両者の縦方向に於ける位置関係が所定の距離とされる。
【００６０】
この事項は、２段目のＯＢＬホルダ２１Ｂと３段目のＯＢＬホルダ２１Ｃに関しても同様である。
【００６１】
続いて、図５に示すように、治具２８でＯＢＬホルダ２１Ａ−２１Ｅを積層させた状態で、各ホルダの連通孔６３に、連続して液状の接着剤を供給する。
【００６２】
図４（Ｃ）を参照して、ボビン５９の連通孔６３に供給された接着剤は、フォーカスコイル２９まで進入し、フォーカスコイル２９をＯＢＬホルダ２１の内壁に接着させる。また、ボビン５９の筒状部６５には貫通孔６４が形成されているので、供給された接着剤は貫通孔６４を経由してトラッキングコイル３８に進入して、トラッキングコイル３８がボビン５９に固着される。この事項は、ＯＢＬホルダ２１が備える他のボビンに関しても同様である。
【００６３】
接着剤の供給・固化が終了した後は、図５を参照して、各ＯＢＬホルダを治具２８から取り出す。
【００６４】
上記の工程を経て、図３に構成を示すＯＢＬホルダ２１が製造される。また、図２を参照して、ＯＢＬホルダ２１を支持ワイヤ４５を経由してアクチュエータフレーム４１に固定することにより、対物レンズ駆動装置５０が製造される。更に、図１を参照して、かかる構成の対物レンズ駆動装置５０を、他の光学素子と共にハウジング５１に組み込むことによって、光ピックアップ装置１００が製造される。
【符号の説明】
【００６５】
１     レーザーユニット
６     回折格子
９     １／４波長板
１２   コリメートレンズ
１３   ハーフミラー
１６   第１プレート
１７   光検出器
１８   １／４波長板
１９   第２プレート
２０   ＦＭＤ
２１、２１Ａ、２１Ｂ、２１Ｃ、２１Ｄ、２１Ｅ     ＯＢＬホルダ
２２Ａ、２２Ｂ、２２Ｃ、２２Ｄ     当接部
２３Ａ、２３Ｂ、２３Ｃ、２３Ｄ     当接部
２５   支持部
２６   貫通部
２７   貫通部
２８   治具
２９   フォーカスコイル
３０   フォーカスコイル
３１   対物レンズ
３２   マグネット
３３   マグネット
３４   マグネット
３５   マグネット
３６   トラッキングコイル
３７   トラッキングコイル
３８   トラッキングコイル
３９   トラッキングコイル
４０   アクチュエータ可動部
４１   アクチュエータフレーム
４４   固定基板
４５   支持ワイヤ
４６   バックヨーク
４７   サブヨーク
４８   対向ヨーク
４９   対向ヨーク
５０   対物レンズ駆動装置
５１   ハウジング
５２   第１側壁部
５３   第２側壁部
５４   第３側壁部
５５   第４側壁部
５６   主面部
５７   ボビン
５８   ボビン
５９   ボビン
６０   ボビン
６１   絡げ部
６３   連通孔
６４   貫通孔
６５   筒状部
６６   鍔部
６７   孔部
【図１】
2013127831.tif 000003
【図２】
2013127831.tif 000004
【図３】
2013127831.tif 000005
【図４】
2013127831.tif 000006
【図５】
2013127831.tif 000007
【図６】
2013127831.tif 000008